(57)【要約】【課題】シリコン処理が不要であり、現場でも容易に取り付けることができ、水漏れ防止効果が大となる漏水受け部材を提供する。【解決手段】浴槽の側壁面１ａの貫通孔１ｂに取り付けられる取付部材２の下側に設けられる漏水受け部材５において、漏水受け部材５は柔軟材で形成され、貫通孔１ｂに嵌め込まれて貫通孔１ｂの周縁を覆うことのできる止水部５０が一体形成され、この止水部５０は、浴槽側壁面１ａの裏に位置する固定片部５ｂと、浴槽側壁面１ａの表に位置する内鍔部５ｅと、貫通孔１ｂ内周に位置して固定片部５ｂと内鍔部５ｅとを連結する短筒状の蛇腹部５ｄとが形成されて、浴槽の側壁面１ａの内および外側から取付部材２の雄ネジ部材６に対し雌ネジ部材７を締め付けて取り付けできる取付孔５ｃが設けられている。【選択図】図２
2008206705.tif 000002
【特許請求の範囲】
【請求項１】
浴槽側壁面の貫通孔に取り付けられる取付部材の下側に設けられる漏水受け部材において、
該漏水受け部材は柔軟材で形成され、前記貫通孔に嵌め込まれて該貫通孔周縁を覆うことのできる止水部が一体形成され、
該止水部は、浴槽側壁面の裏に位置する固定片部と、浴槽側壁面の表に位置する内鍔部と、前記貫通孔の内周に位置して前記固定片部と前記内鍔部とを連結する短筒状の連結部とが形成されて、浴槽側壁面の内外方から前記取付部材を締め付けて取り付けできる取付孔が設けられている
ことを特徴とする浴槽用水受け構造。
【請求項２】
前記漏水受け部材の止水部には、前記貫通孔に嵌め込む時に、浴槽側壁面の厚さに応じて伸縮し得る蛇腹部が形成されていることを特徴とする請求項１に記載の浴槽用水受け構造。
【発明の詳細な説明】
【技術分野】
【０００１】
本発明は、浴槽に形成した貫通孔からの漏水を受け止める浴槽用水受けの構造に関するものである。
【背景技術】
【０００２】
従来、浴槽用水受けとして、例えば特許文献１に開示されているような構造のものがある。
この浴槽用水受け構造は、図５に示すように、浴槽１の側壁面１ａの貫通孔に、取付部材である追い焚き用アダプタ２や水中照明器３を取り付ける場合、貫通孔から漏れ出す水を受けるために、水中照明器３や追い焚き用アダプタ２の下方に、それぞれ漏水受け部材４，５を設け、漏水を受けて排水ホースＨを介し排水するようにしており、追い焚き用アダプタ２側の漏水受け部材５について説明すると、この漏水受け部材５は、図６に斜視図で示すように、上面が開放された受け皿部５ａの背面に固定片部５ｂが一体状に立ち上げ形成され、この固定片部５ｂには貫通状に孔５ｃが形成されている。
このような漏水受け部材５の浴槽側壁面１ａへの取付構造の詳細は、図７の一部破断斜視構成図で、また図８の概略側面構成図で示す。
【０００３】
追い焚き用アダプタ２は、雄ネジ部材６と雌ネジ部材７で構成されており、雄ネジ部材の本体部６ａから突出する雄ネジ筒部６ｂに螺合される、先端に鍔部７ａを有する雌ネジ筒部７ｂが雌ネジ部材７に設けられており、浴槽側壁面１ａの内側から雄ネジ部材６の雄ネジ筒部６ｂを貫通孔１ｂに通し、浴槽側壁面１ａの外側から雌ネジ部材７の雌ネジ筒部７ｂを雄ネジ筒部６ｂに締め付けて取り付けられるものである。
なお、図中８は、雌ネジ部材７に接続された配管８であり、図中１１は、浴槽の内側から雄ネジ部材６の本体部６ａに蓋されるキャップである。
先ず、漏水受け部材５の固定片部５ｂを浴槽側壁面１ａに接着材で仮固定し、貫通孔１ｂおよび漏水受け部材５の孔５ｃの内周にシリコンＳを塗布し、その状態で雄ネジ部材６と浴槽の側壁面１ａ間にはパッキン１０を介在させ、また、雌ネジ部材７の鍔部７ａにはゴムパッキン９を嵌め込んでおき、雄ネジ部材６に対し外側から雌ネジ部材７を締め付けて取り付けられるものである。
【特許文献１】特開２００５−２３７５９０号公報
【発明の開示】
【発明が解決しようとする課題】
【０００４】
上記した従来の漏水受け部材の取付構造では、パッキン１０やシリコンＳによる止水が不充分だった場合に、浴槽の側壁面１ａと固定片部５ｂとの重合面を伝って漏水する可能性があり、また、パッキン９，１０を用い、更にシリコンＳの塗布が必要であり、シリコンＳの塗布はムラのないように慎重に塗布する必要があり、取付作業に手間がかかり、作業性が悪いという問題点があった。
【課題を解決するための手段】
【０００５】
本発明は上記従来の問題点に鑑み案出したものであって、漏水受け部材の取付作業が容易で、且つ水漏れ防止効果が大となる浴槽用水受け構造を提供するものであり、その請求項１は、浴槽側壁面の貫通孔に取り付けられる取付部材の下側に設けられる漏水受け部材において、該漏水受け部材は柔軟材で形成され、前記貫通孔に嵌め込まれて該貫通孔周縁を覆うことのできる止水部が一体形成され、該止水部は、浴槽側壁面の裏に位置する固定片部と、浴槽側壁面の表に位置する内鍔部と、前記貫通孔の内周に位置して前記固定片部と前記内鍔部とを連結する短筒状の連結部とが形成されて、浴槽側壁面の内外方から前記取付部材を締め付けて取り付けできる取付孔が設けられていることである。
【０００６】
また、請求項２は、前記漏水受け部材の止水部には、前記貫通孔に嵌め込む時に、浴槽側壁面の厚さに応じて伸縮し得る蛇腹部が形成されていることである。
【発明の効果】
【０００７】
本発明は、浴槽側壁面の貫通孔に取り付けられる取付部材の下側に設けられる漏水受け部材において、該漏水受け部材は柔軟材で形成され、前記貫通孔に嵌め込まれて該貫通孔周縁を覆うことのできる止水部が一体形成され、該止水部は、浴槽側壁面の裏に位置する固定片部と、浴槽側壁面の表に位置する内鍔部と、前記貫通孔の内周に位置して前記固定片部と前記内鍔部とを連結する短筒状の連結部とが形成されて、浴槽側壁面の内外方から前記取付部材を締め付けて取り付けできる取付孔が設けられていることにより、漏水受け部材に一体形成されている止水部を浴槽側壁面の貫通孔に嵌め込んで貫通孔の周縁を覆うことができ、水漏れ防止効果が大となり、シリコンを塗布する必要もなく、シリコン処理が不要となって漏水受け部材の取付作業が容易なものとなり、現場においても漏水受け部材の取り付けが可能となる。
【０００８】
また、前記漏水受け部材の止水部には、前記貫通孔に嵌め込む時に、浴槽側壁面の厚さに応じて伸縮し得る蛇腹部が形成されていることにより、浴槽の側壁面の厚みのばらつきに良好に対応することができ、異なる厚さの浴槽にも良好に対応させて、蛇腹部の伸縮により止水部を浴槽の貫通孔周縁に良好に密着させて、水漏れ防止効果を高めることができるものとなる。
【実施例】
【０００９】
以下、本発明の実施例を図面に基づいて説明する。
図１は、漏水受け部材５の斜視構成図であり、漏水受け部材５は全体が柔軟性のあるゴム材で形成されており、上面が開口された受け皿状の受け皿部５ａの背側には一体状に立ち上げて板状の固定片部５ｂが形成され、この固定片部５ｂの受け皿部５ａよりも上部には、固定片部５ｂから一体状に後方側へ突出して連結部たる蛇腹部５ｄがリング状に形成され、蛇腹部５ｄの他端側には固定片部５ｂと平行状に内鍔部５ｅが一体形成されて、蛇腹部５ｄの内周には、貫通状に取付孔５ｃが形成され、固定片部５ｂと蛇腹部５ｄと内鍔部５ｅで止水部５０が構成されている。なお、図中５ｆは、ホース接続部である。
【００１０】
このような漏水受け部材５は、図２の縦断面拡大構成図で示すように、浴槽の側壁面１ａに貫通形成されている貫通孔１ｂに対し、外側から止水部５０を貫通孔１ｂの内周に嵌め込むことができ、嵌め込んだ状態では、固定片部５ｂが浴槽の側壁面１ａの外側に密着状態となり、内鍔部５ｅが側壁面１ａの内面に密着状態となるように構成されており、貫通孔１ｂの周縁の外側および内側を密着状態で覆うことができるものである。
なお、止水部５０を浴槽の貫通孔１ｂ内に嵌め込んで取り付ける際に、予め貫通孔１ｂの内周にシール剤Ｓを塗布等しておけば、より確実なシール性が確保されるものである。
【００１１】
なお、図３には要部を拡大した縦断面図を示しており、蛇腹部５ｄは、水平方向に伸縮できるように蛇腹状に薄いゴム片で形成されて、固定片部５ｂと内鍔部５ｅを連結しており、浴槽の貫通孔１ｂに止水部５０を嵌め込む時に、この蛇腹部５ｄが、浴槽側壁面１ａの厚み或いは厚みのばらつきに対応して伸縮し、嵌め込み状態で固定片部５ｂと内鍔部５ｅが側壁面１ａの外側および内側に密着されるものである。
【００１２】
なお、図３に示すように、固定片部５ｂおよび内鍔部５ｅの対向面に、対向状に突出してリング状のリング突起５ｅａ，５ｅｂ，５ｂａ，５ｂｂを一体形成させておいても良く、このようなリング突起が形成されている場合には、浴槽の側壁面１ａの外面にリング突起５ｂａ，５ｂｂが線接触され、また、側壁面１ａの内側にはリング突起５ｅａ，５ｅｂが線接触されることとなり、このリング突起を複数形成させておけば、複数の線接触により貫通孔１ｂからの水漏れ防止効果を高めることができるものである。
このように漏水受け部材５を浴槽の貫通孔１ｂに止水部５０を介して嵌め込み状に取り付けた後に、浴槽の側壁面１ａの内側から、雄ネジ部材６の雄ネジ筒部６ｂを取付孔５ｃ内に挿入させて、雄ネジ筒部６ｂを側壁面１ａの外側に突出させ、この状態で側壁面１ａの外側から雌ネジ部材７の雌ネジ筒部７ｂを雄ネジ筒部６ｂに締め付けることで、取付部材である追い焚き用アダプタ２を浴槽の側壁面１ａに取り付けることができる。
【００１３】
なお、雌ネジ部材７を締め付けることで、雌ネジ部材７の鍔部７ａが漏水受け部材５の固定片部５ｂを強固に側壁面１ａに押し付け、強固に固定片部５ｂが側壁面１ａに密着されるものである。
また、雄ネジ部材６の雄ネジ筒部６ｂの外周にスリップワッシャー１２を嵌め込んでおけば、締め付けることでスリップワッシャー１２が内鍔部５ｅを強固に側壁面１ａに押し付け、内鍔部５ｅが強固に側壁面１ａに密着されるものである。
そのため、シール材Ｓが塗布されていない場合でも、貫通孔１ｂからの水漏れ防止効果は大となる。即ち、スリップワッシャー１２と内鍔部５ｅとの重合面に水が侵入したとしても、その水は蛇腹部５ｄの内側に排水され受け皿部５ａに至る。
【００１４】
なお、図２のように浴槽の側壁面に曲面１ｃが存在する場合においても、良好な水漏れ防止効果が得られるものであり、従来のように固定片部５ｂを側壁面１ａに接着材で接着させる必要がなく、また、従来のようなシリコンの塗布によるシリコン処理も不要であり、漏水受け部材５の取付作業を極めて容易に行うことができ、作業性が向上するものとなり、従来は浴槽１を出荷する前に工場で漏水受け部材５を取り付ける必要があったが、本例では取付作業が容易であるため、現場において浴槽１に漏水受け部材５を取り付けることができるものとなる。
【００１５】
なお、図４は変更例を示すものであり、図４に示す漏水受け部材５においては、更に水漏れ防止効果を高めるために、固定片部５ｂに、受け皿部５ａ側へ膨出するシリコンポケット部５ｇをリング状に一体形成したものである。
このリング状のシリコンポケット部５ｇにはシリコンＣを充填させておき、固定片部５ｂを浴槽の側壁面１ａに密着させると、シリコンポケット部５ｇに充填されているシリコンＣにより、貫通孔１ｂを通り外側へ漏れ出す水の漏れを確実に防ぐことができるものとなる。
【００１６】
なお、本例では、追い焚き用アダプタ２における漏水受け部材５を例示しているが、水中照明器３の漏水受け部材４、或いは図示しない気泡浴槽噴射口の漏水受け部材についても、同様な構造を採用することにより、止水部を介して取り付けが容易となり、しかも水漏れ防止効果が大となるものである。
【図面の簡単な説明】
【００１７】
【図１】漏水受け部材の斜視構成図である。
【図２】漏水受け部材を浴槽の側壁面の貫通孔に嵌め込んだ状態の縦断面構成図である。
【図３】漏水受け部材の蛇腹部の拡大縦断面構成図である。
【図４】変更例を示し、シリコンを充填可能なシリコンポケット部を設けた漏水受け部材の取付状態の縦断面構成図である。
【図５】浴槽の側壁面に取り付けられる追い焚き用アダプタ，水中照明器に、それぞれ漏水受け部材を取り付けた状態の浴槽の斜視構成図である。
【図６】従来の漏水受け部材の斜視構成図である。
【図７】従来の漏水受け部材を挟み込んだ追い焚き用アダプタの取付状態の詳細破断斜視構成図である。
【図８】図７の取付状態の概略側面構成図である。
【符号の説明】
【００１８】
１  浴槽
１ａ  側壁面
１ｂ  貫通孔
２  追い焚き用アダプタ（取付部材）
３  水中照明器
４，５  漏水受け部材
５ａ  受け皿部
５ｂ  固定片部
５ｃ  取付孔
５ｄ  蛇腹部
５ｅ  内鍔部
５ｆ  ホース接続部
５ｇ  シリコンポケット部
５ｅａ，５ｅｂ，５ｂａ，５ｂｂ  リング突起
６  雄ネジ部材
６ｂ  雄ネジ筒部
７  雌ネジ部材
７ｂ  雌ネジ筒部
５０  止水部
Ｃ  シリコン
Ｓ  シール材
【図１】
2008206705.tif 000003
【図２】
2008206705.tif 000004
【図３】
2008206705.tif 000005
【図４】
2008206705.tif 000006
【図５】
2008206705.tif 000007
【図６】
2008206705.tif 000008
【図７】
2008206705.tif 000009
【図８】
2008206705.tif 000010